(57)【要約】      （修正有）【課題】コンフォーターが、低温箇所を最小限にし且つ溝形部分内の充填材の流動防止に効果を発揮する構造を持つことが望ましい。【解決手段】コンフォーター10は、２つの実質的に同一の布地部分を含んでおり、それらの間の取り付け線が、複数の並列した平行な溝形部分18の縁部を画定している。バッフル28部材が、各溝形部分18内に配置され、それぞれの溝形部分18の一方の縁部に取り付けられているが、溝形部分18の反対側の縁部まで完全に延びているわけではなく、何れの所与の溝形部分18のバッフル部材28も、隣接する溝形部分18のバッフル部材28の位置に対して互い違いの関係に配置されている。【選択図】図１
2011101789.tif 000002
【特許請求の範囲】
【請求項１】
バッフル・ボックス・コンフォーターであって、
２つの実質的に同一の布地部分と、
複数の並列状態に配置される溝形部分の縁部を画定する、前記布地部分の間の複数の取り付け線と、
前記溝形部分の各々に配置されているバッフル部材とを備え、前記バッフル部材は、前記溝形部分の一方の縁部に取り付けられており、各溝形部分内のバッフル部材の位置は、それぞれ、隣接する溝形部分のバッフル部材の位置に対して互い違いになっている、バッフル・ボックス・コンフォーター。
【請求項２】
前記布地部分の間の前記取り付け線は、その長さに沿って連続しており、これにより、前記コンフォーターの互いに反対側の端部の間に閉じた溝形部分を画定している、請求項１に記載のコンフォーター。
【請求項３】
前記溝形部分は幅が等しい、請求項１に記載のコンフォーター。
【請求項４】
前記取り付け線は縫合線である、請求項１に記載のコンフォーター。
【請求項５】
前記取り付け線は、前記布地部分にその互いに反対側の縁部に沿って取り付けられている、布地の部分を含む、請求項１に記載のコンフォーター。
【請求項６】
隣接する溝形部分のバッフル部材が、同じ溝形部分の縁部に取り付けられ、それぞれの溝形部分内で互いに反対方向に延びている、請求項１に記載のコンフォーター。
【請求項７】
前記バッフル部材は、該バッフル部材が配置されている前記溝形部分を完全に横断して延びることなく、充填材が、各溝形部分の前記バッフル部材によって画定されているボックスの全ての中へ吹き込まれることを可能にしている、請求項１に記載のコンフォーター。
【請求項８】
前記バッフル部材は、該バッフル部材の上下縁全体に沿って、前記布地部分に取り付けられている、請求項１に記載のコンフォーター。
【請求項９】
各溝形部分の前記バッフル部材は、それぞれ、隣接する溝形部分の前記バッフル部材の間の概ね中間に配置されている、請求項１に記載のコンフォーター。
【発明の詳細な説明】
【技術分野】
【０００１】
[0001]本発明は、概括的にはコンフォーター（comforter：掛け布団類）に関し、より厳密には、バッフル（baffle：隔壁）要素が内部に配置されている多数の溝形部分を有するコンフォーターに関係する。
【背景技術】
【０００２】
[0002]バッフル・ボックス型コンフォーターは、溝形部分内の充填材の移動を防止するため、コンフォーターの溝形部分部分内の選択された箇所にバッフルが配置されているものであって、一般的に知られている。しかしながら、現実のバッフル・ボックス・コンフォーターでは、バッフルは、溝形部分が縦方向に走っている場合にはコンフォーターを横断して横方向に、又は溝形部分が横方向に走っている場合には縦方向に、整列して配置されている。この配列には実際に幾つかの不都合があり、中でも、コンフォーターの中、とりわけ溝形部分内でバッフルが固着されている領域に、低温の箇所又は低温の線が存在するという不都合がある。
【発明の概要】
【発明が解決しようとする課題】
【０００３】
[0003]コンフォーターが、低温箇所を最小限にし且つ溝形部分内の充填材の流動防止に効果を発揮する構造を持つことが望ましい。その様なコンフォーターは、更に、合成でも天然でもよいが充填材、を詰めるのに都合が良くなくてはならない。
【課題を解決するための手段】
【０００４】
[0004]従って、新規なバッフル・ボックス・コンフォーターは、２つの実質的に同一の布地部分と、複数の並列して配置される溝形部分の縁部を画定する、布地部分の間の複数の取り付け線と、各溝形部分内で、同じ溝形部分の一方の縁部に取り付けられて配置されているバッフル部材であって、各溝形部分のバッフル部材の位置は、それぞれ、隣接する溝形部分のバッフル部材の位置に対し互い違いになっている、バッフル部材と、を備えている。
【図面の簡単な説明】
【０００５】
【図１】[0005]  外縁領域無しの、ここで説明されているコンフォーターの上面図である。
【図１Ａ】[0006]  図１のコンフォーターの側面図である。
【図２】[0007]  外縁領域付きの、図１のコンフォーターの上面図である。
【発明を実施するための形態】
【０００６】
[0008]図１は、実質的に同一である上布地部分１２と下布地部分１４を含んでいるコンフォーター１０を示している。布地部分の寸法は、コンフォーターの所望のサイズによって決まる。例えば、クイーンサイズベッドの場合、コンフォーターの寸法は、幅８８インチ（約２２３．５２ｃｍ）ｘ長さ９０インチ（約２２８．６ｃｍ）である。典型的には、布地部分１２、１４は、綿又は類似材料の様な各種布地から選択されている。布地部分は、それらの周囲及び線１６−１６に沿って縫い合わされて、コンフォーター内に、コンフォーターの長さ又は幅に亘って延在する、連続して配置される溝形部分１８−１８を画定している。溝形部分１８−１８は、典型的に平行である。
【０００７】
[0009]図示の実施形態では、隣接する縫合線１６−１６（溝形部分線）の間の距離は１１インチ（約２７．９４ｃｍ）であるが、これは、コンフォーターの特定の設計に応じて変えられてもよい。溝形部分１８は、図示の実施形態では、縫合線によって作成されているが、溝形部分線、ひいては溝形部分を画定するのに、他の取り付け手段を使用することもできる。また、バッフルを使用して溝形部分線を画定することもでき、その場合、バッフルの高さは特定のコンフォーター設計によって決まる。コンフォーターの一方の縁２２に沿って、複数の吹込穴２４が在り、図示の実施形態では２つの隣接する溝形部分毎に１つずつ設けられている。典型的には、それぞれの吹込穴は、一つ置きの溝形部分線の両側で３インチ（７．６２ｃｍ）延びているであろう。これは、溝形部分内への充填材の吹き込みを容易にするためのものである。
【０００８】
[0010]各溝形部分内には、複数のバッフル２８−２８が配置されており、これらは、吹込穴を二等分している溝形部分線の互いに反対側に位置する、交互に配置された溝形部分線から延びるようにして配置されている。図示の実施形態では、幾つかの溝形部分には、バッフルが３つ在り、一方、交互に配置されている溝形部分はバッフルが２つである。様々な溝形部分のバッフルの数は、無論、変わってもよい。図示の実施形態に表されている様に、バッフル２８は、連続して配置される溝形部分の交互の側から、即ち、一つ置きに配置される溝形部分線から、延びている。例えば、図１では、バッフル２８は、コンフォーターの一端３０では溝形部分線２９から、コンフォーターの中間領域では溝形部分線３２と３４から、そしてコンフォーターの他端３８では溝形部分線３６から、交互交代式に反対の方向に延びている。バッフルは、１つの溝形部分線でのそれらの取り付け点から、溝形部分を横断して反対側の溝形部分線まで、完全に延びているわけではない。典型的には、バッフル部材の自由端とこれに対向する溝形部分線との間に３インチ（７．６２ｃｍ）の間隙が在る。
【０００９】
[0011]バッフル部材２８は、その長さに沿って上下布部分に固着されており、よって、溝形部分内では自由に動くことができない。図面に示されているバッフル部材は、１つの溝形部分のバッフル部材の位置が、隣接する溝形部分のバッフル部材の位置に対して互い違いになるように特徴付けられている。図示の実施形態のそれぞれの溝形部分のバッフルは、隣又は両隣りの溝形部分の２つの隣接するバッフルの間の大凡中間に配置されていることが示されている。例えば、１つの溝形部分に３つのバッフル、そして隣接する溝形部分に２つのバッフルを使用すれば、その様な配列が可能になる。それぞれの溝形部分のバッフルは、隣又は両隣りの溝形部分のバッフルの間の中間に在るのが好適とはいえ、バッフルは、他の配列にも配置することができ、即ち、どこか中間以外の点に配置することができる。また、隣接する溝形部分の間の間隔は、コンフォーター全体を通して同じであるのが好適とはいえ、間隔は、個々の溝形部分それぞれの内部で変わっていてもよいし、溝形部分毎に変わっていてもよいものと理解されたい。図示の実施形態では、間隔の寸法「Ａ」は１７インチ（４３．１８ｃｍ）、一方、寸法「Ｂ」は１１インチ（２７．９４ｃｍ）である。これらの寸法は変わってもよい。
【００１０】
[0012]溝形部分のバッフルは、コンフォーターを横断し且つコンフォーターの長さに沿って「ボックス」を画定している。幅及び長さ寸法でのボックス数は、コンフォーターのサイズに応じて変わるであろう。典型的には、幅寸法ではボックス数は、４と６の間で様々であり、一方、長さ寸法では６と８の間で様々であろうが、コンフォーターの全てのサイズについて例えば８というように同じであってもよい。
【００１１】
[0013]バッフルを互い違いに配列することで、コンフォーター全体を通しての低温箇所の有意な減少がもたらされ、それにより、使用者の全体的な快適性が高まる。コンフォーターが充填された後、吹込穴２４−２４が縫い合わせて閉じられると、コンフォーターが完成する。充填材は様々であってよく、ポリエステルの様な合成充填材又は羽毛やダウンの様な天然充填材の両方、又はそれらの組わせが含まれる。
【００１２】
[0014]図２は、コンフォーターの２つの側部４４と４６及び足側の端４８に沿って外縁領域４２が加えられた、図１のものと概ね同様の或る代わりの実施形態を示している。コンフォーターのそれぞれの角部には、マットレスへの取り付けに便利なように、角ループ５０を設けることができる。図示の実施形態では、側部に沿った外縁領域の幅は大凡１２インチ（３０．４８ｃｍ）で、足側の端に沿った外縁も、典型的に、大凡１２インチ（３０．４８ｃｍ）である。外縁領域に沿って２つの布地部分を貫いて、１と１／２インチ（３．８１ｃｍ）のタック５２が縫い付けられている。図示の実施形態では、連続するタック５２−５２の間は１０インチ（２５．４ｃｍ）ある。図１の実施形態と同じく、バッフル５４と溝形部分縫合線５６によって画定される互い違いのボックスの数は、コンフォーターのサイズに応じ、例えば、幅寸法では２と５の間、長さ寸法では６と８の間で、様々であろうが、長さ寸法は、全てのサイズについて例えば７というように同じボックス数としてもよい。図２の実施形態は、互い違いのバッフルを備えたバッフル・ボックスの数個の吹込穴６２の他に、外縁用の吹込穴６０を含んでいる。
【００１３】
[0015]以上、新規なコンフォーター配列を示したが、同配列は従来型のバッフル・ボックス・コンフォーターの実質的な変型であり、バッフルが、隣接する溝形部分の間に互い違いの位置で設けられ、コンフォーター全体を通しての低温線及び低温箇所の減少によって快適性が高められている。更に、バッフルは、吹込穴を閉じてコンフォーターを完成させる前のコンフォーターの充填が便利になるようなやり方で、配置され、溝形部分線に取り付けられている。
【００１４】
[0016]説明を目的として、或る好適な実施形態を開示してきたが、好適な実施形態には、付随の特許請求の範囲によって定義されている本発明の精神から逸脱すること無く、様々な変更や修正及び置換が施されてもよいものと理解されたい。
【符号の説明】
【００１５】
１０  コンフォーター
１２  上布地部分
１４  下布地部分
１６、２９、３２、３４、３６、５６  縫合線（溝形部分線）
１８  溝形部分
２２  コンフォーターの一方の縁
２４、６２  吹込穴
２８、５４  バッフル
３８  コンフォーターの他端
４２  外縁領域
４４、４６  コンフォーターの側部
４８  コンフォーターの足側の端
５０  角ループ
５２  タック
６０  外縁用の吹込穴
Ａ、Ｂ  間隔の寸法
【図１】
2011101789.tif 000003
【図１Ａ】
2011101789.tif 000004
【図２】
2011101789.tif 000005
【外国語明細書】
2011101789000001.pdf